(57)【特許請求の範囲】
【請求項１】
複数のキャリアのベースバンド信号をそれぞれ高周波帯にアップコンバートして得られるこれら複数のキャリアの信号を結合したマルチキャリア信号を増幅するシステムにおいて用いられるピークリミッタであって、
入力された前記複数のキャリアのベースバンド信号のそれぞれの電力を求め、当該求めたそれぞれの電力の総和電力を、前記アップコンバートにより得られる複数のキャリアの信号の位相が同相になる時点での前記マルチキャリア信号の電力として想定して求める電力検出手段と、
前記電力検出手段にて求めた前記総和電力に基づいてピークを検出するピーク検出手段と、
前記ピーク検出手段によりピークが検出された場合には前記入力された複数のキャリアのベースバンド信号の振幅を抑圧して出力するリミッタ手段と、を有することを特徴とするピークリミッタ。
【発明の詳細な説明】
【０００１】
【発明の属する技術分野】
本発明は、ＣＤＭＡ方式の移動通信システムの基地局装置等のマルチキャリア信号を増幅するシステムで使用されるピークリミッタ及びマルチキャリア増幅装置に係り、特に増幅システムの電力効率を向上できるピークリミッタ及びマルチキャリア増幅装置に関する。
【０００２】
【従来の技術】
一般的に、ＣＤＭＡ（Code Division Multiple Access：広帯域符号分割多元接続）方式を移動通信方式として採用する移動通信システムに備えられた基地局装置（ＣＤＭＡ基地局装置）では、物理的に遠く離れた移動局装置（ＣＤＭＡ移動局装置）まで無線信号を到達させる必要があるため、送信対象となる信号を増幅器（アンプ）で大幅に増幅して送信出力することが必要である。
しかしながら、増幅器はアナログデバイスであるため、その入出力特性は非線形な関数となる。特に、飽和点と呼ばれる増幅限界以降では、増幅器に入力される電力が増大しても出力電力がほぼ一定となってしまう。そして、この非線形な出力によって出力信号に非線形歪が発生する。
【０００３】
通常、増幅前の送信信号は、希望信号帯域外の信号成分が帯域制限フィルタによって低レベルに抑えられるが、増幅器通過後の信号では非線形歪が発生して希望信号帯域外（隣接チャネル）へ信号成分が漏洩する。例えば基地局装置では上記したように送信電力が高いため、このような隣接チャネルへの漏洩電力の大きさは厳しく規定されており、隣接チャネル漏洩電力（ＡＣＰ：Adjacent Channel
leakage Power）を削減する技術が用いられる。
【０００４】
増幅器において隣接チャネル漏洩電力を削減する技術の一例として、バックオフ法、フィードフォワード法、プリディストーション法などが用いられる。
ここで、各方法の概要と動作特性について図５を使って説明する。図５は、増幅器の特性と、各隣接チャネル漏洩電力削減方法の動作特性を説明する説明図であり、（ａ）がバックオフ法の特性を示し、（ｂ）が、フィードフォワード法、プリディストーション法の特性を示している。
【０００５】
バックオフ法は、増幅器の動作範囲を線形領域に制限し、動作点を下げることによって非線形歪が発生するのを防ぐ方法である。具体的には、図５（ａ）に示すように、増幅器の特性が実線で示す曲線のように、途中まで線形で飽和すると非線形になって飽和出力レベルになる場合に、バックオフ法では、線形性を保っている最大の出力電力から、増幅器入力信号のピークファクタだけ低い点に動作点を設定するようになっている。
ここでピークファクタとは、図６に示すように増幅器入力信号における最大電力と平均電力の比であり、すなわち平均電力に対して最大電力の差が小さいほどピークファクタは小さいことになる。図６は、一般的な増幅器のピークファクタの説明図である。
【０００６】
一方、フィードフォワード法は、主アンプで増幅して出力された（希望信号＋歪成分）からエラーアンプで増幅された（歪成分）を引くことによって歪補償を行う方法である。
また、プリディストーション法は、希望信号を増幅器に入力する前に、通常ＡＭ／ＡＭ変換、ＡＭ／ＰＭ変換で表される非線形特性の逆特性によって希望信号に予め歪を与えて（希望信号＋歪成分）を入力し、増幅器で発生する（歪成分）と相殺するように歪補償を行う方法である。
つまり、フィードフォワード法、及びプリディストーション法では、歪成分が発生するという前提で発生する歪を補償するものであるので、図５（ｂ）に示すように、増幅器の特性曲線に対して、例えば、飽和出力電力（レベル）から増幅器入力信号のピークファクタだけ低い点に動作点を設定することができ、バックオフ法よりも動作点を高く設定することができる。
【０００７】
現在、歪補償方式としては、フィードフォワード法とプリディストーション法が主流であり、その理由はシステムの電力効率を向上することができるためである。増幅器の動作点を高く設定できれば出力電力が大きくなるため電力効率が向上するが、電力効率は、増幅器入力信号のピークファクタの大きさに大きく左右されることになる。
ピークファクタが大きくなると、使用する電力増幅回路のトランジスタのサイズが大きくなり、また飽和出力電力から大きく出力レベルを下げて使用する必要がある。このようにレベルを下げていくと電力増幅器のＤＣ供給電力と取り出される送信電力の比は低下してしまう。
【０００８】
そこで、増幅器の電力効率を向上するためにピークファクタをできるだけ小さくする技術が重要であり、その一例として、増幅器の前段にピークリミッタを設け、最大電力（ピーク）を制限した信号を増幅器の入力信号とする方法がある。
従来のピークリミッタについて、図８を使って説明する。図８は、従来のピークリミッタの構成例を示すブロック図である。
従来のピークリミッタ１′は、図８に示すように、平均電力検出部１１′と、瞬時電力検出部１２′と、ピーク検出部１３と、リミッタ部１４′とから構成されている。
【０００９】
従来のピークリミッタ１′の各部について説明する。
平均電力検出部１１′は、入力信号ＩＱの平均電力を検出して平均電力情報を出力するものである。
瞬時電力検出部１２′は、入力信号ＩＱの瞬時電力を検出して瞬時電力情報を出力するものである。
ピーク検出部１３は、入力信号ＩＱのピークの有無を検出するものである。具体的には、例えば入力される平均電力情報と瞬時電力情報から比の演算を行って入力信号の瞬時電力対平均電力比を算出し、算出された瞬時電力対平均電力比が予め定められているピークファクタ閾値を超えるかどうか、すなわち、リミットを施すべきピークの有無を検出し、ピーク検出情報を出力するようになっている。ここで、予め定められているピークファクタ閾値とは、後続して設置する増幅器における特性（図６（ｂ））で飽和出力レベルに対して動作点を想定しているピークファクタを考慮した値である。
【００１０】
リミッタ部１４′は、入力信号ＩＱの振幅のピークを制限するもので、具体的には、入力されるピーク検出情報に従って、リミットを施すべきピークが検出された場合に、入力される入力信号ＩＱの電力（振幅）を予め定められているリミット電力になるように制限して出力信号ＩＱを出力するようになっている。
【００１１】
次に、従来のピークリミッタ１′の動作について説明する。
従来のピークリミッタ１′では、入力信号ＩＱが、平均電力検出部１１′、瞬時電力検出部１２′、及びリミッタ部１４′に入力され、平均電力検出部１１′では入力信号の平均電力が検出されて平均電力情報が出力され、瞬時電力検出部１２′では入力信号の瞬時電力が検出されて瞬時電力情報が出力され、ピーク検出部１３で、平均電力情報と瞬時電力情報からリミットを施すべきピークの有無が検出されてピーク検出情報が出力され、リミッタ部１４′でピーク検出情報に従って、リミットを施すべきピークが検出された場合に、入力される入力信号ＩＱの電力を予め定められているリミット電力に制限された出力信号ＩＱが出力されるようになっている。
【００１２】
通常、ピークリミッタ１′に入力される入力信号ＩＱは、帯域制限前のベースバンド信号であり、ピークリミッタ１′によってリミッタ処理が施された後にフィルタ（図示せず）によって帯域制限を行うので、歪は発生せず、また、ピークリミッタ１′によって入力信号のピーク値を制限しているため、入力信号のピークファクタを小さくしており、帯域制限後に行う増幅器の動作点を上げることができるので電力効率を向上できるものである。
ここで、ピークリミッタ１′によるリミッタ後に帯域制限を行うため、帯域制限後のピークファクタは帯域制限前のピークファクタより通常は大きくなる。これは、帯域制限前の矩形波が、帯域制限後に鈍ることで、ピークが高くなるポイントが現れるためである。そこで、ピーク検出部１３で設定するピークファクタ閾値は、帯域制限後の瞬時電力対平均電力比が大きくなることを考慮してピークファクタ閾値を低めに設定する必要がある。
【００１３】
次に、従来のピークリミッタ１′を用いた従来のマルチキャリア増幅装置について図９を使って説明する。図９は、従来のマルチキャリア増幅装置の概略構成ブロック図である。尚、図９では、一例として２キャリアの場合の構成を示している。
マルチキャリア信号を増幅する従来のマルチキャリア増幅装置は、各キャリア毎に独立した系列として信号ピークの制限を行うピークリミッタ１′と、帯域制限を施す帯域制限フィルタ２と、ＲＦ周波数にアップコンバート（高周波変調）するアップコンバータ３とから構成され、更に、各キャリア系列からの出力を結合してマルチキャリア信号を出力する結合器４と、マルチキャリア信号を増幅する増幅器５とから構成されている。
【００１４】
従来のマルチキャリア増幅装置の動作は、各キャリア系列の入力信号ＩＱが各ピークリミッタ１′に入力され、ピークリミッタ１′で各入力信号の瞬時電力対平均電力比が算出され、予め定められたピークファクタ閾値に基づいて、瞬時電力対平均電力比がピークファクタ閾値を超える場合に信号ピーク値が制限されてピーク制限信号Ａ１，Ａ２が出力され、各々帯域制限フィルタ２で帯域制限された信号Ｂ１，Ｂ２が出力され、更に各アップコンバータ３で各ＲＦ周波数にアップコンバートされた高周波変調信号（キャリア信号）Ｃ１，Ｃ２が出力される。
そして、各キャリア系列のアップコンバータ３の出力信号が結合器４で結合されてマルチキャリア信号Ｄが出力され、増幅器５で増幅されて出力されるようになっている。
【００１５】
その結果、従来のマルチキャリア増幅装置では、各キャリア系列でピークリミッタ１′によって信号のピーク値が制限されて瞬時電力対平均電力比を小さくする処理を施した信号Ａ１，Ａ２に対して、帯域制限、アップコンバートを行い、その後に結合し、結合後のマルチキャリア信号を増幅器５で増幅することになり、結合前の信号の瞬時電力対平均電力比が小さくなっていることにより、結合後のマルチキャリアの瞬時電力対平均電力比も小さくなるため、結果的に増幅器５への入力信号の瞬時電力対平均電力比が抑圧されて、増幅器５における動作点を上げることができるものである。
【００１６】
しかしながら、従来のピークリミッタ及びマルチキャリア増幅装置では、各キャリア系列毎に設けたピークリミッタ１′で、各キャリア系列の入力信号から検出した瞬時電力対平均電力比とピークファクタ閾値との関係に基づいてピーク制限を行い、各々帯域制限を行った後に合成するので、結合器４出力であるマルチキャリア信号の瞬時電力対平均電力比は、経験上各キャリア系列の瞬時電力対平均電力比よりも大きくなるため、増幅器５への入力信号に対して所望する瞬時電力対平均電力比を得るために、各ピークリミッタ１′における最適なピークファクタ閾値を設定する調整は困難であり、安全のためにピークファクタ閾値を低めに設定することになり、効率よくピークリミットを行うことができないという問題があった。
複数キャリアにおける瞬時電力対平均電力比と１キャリアの瞬時電力対平均電力比との比較の一例として、Ｗ−ＣＤＭＡにおける２〜４キャリア入力の瞬時電力対平均電力比は、１キャリア入力の瞬時電力対平均電力比と比較して２〜６ｄＢ程度大きくなる。
【００１７】
また、他の問題点として、例えば各キャリア信号を結合器４で結合したマルチキャリア信号の電力が実際には小さくなるにも係わらず、ある１つのキャリア信号の瞬時電力対平均電力比がピークファクタ閾値よりも大きくなったような場合にも、従来のピークリミッタ１′ではピーク制限を行うので、必要のないピーク制限でピークの抑制を行う前と後の誤差（ピークコードドメインエラー等）が大きくなるという問題点があった。
【００１８】
そこで、この問題を解決するためにマルチキャリア信号のピークファクタを抑圧する技術としては、２００１年７月３０日出願の特願２００１−２２９７３８号「ピークリミッタ及びマルチキャリア増幅装置」（出願人：株式会社日立国際電気、発明者：本江直樹他）がある。
この技術は、マルチキャリア信号を増幅するシステムにおいて用いられるピークリミッタであって、平均電力検出部が、各キャリアのベースバンド信号を入力し、各ベースバンド信号を高周波帯で合成した場合に近似的に想定されるマルチキャリア信号の平均電力を求め平均電力情報を出力し、同様に瞬時電力検出部が、近似的に想定されるマルチキャリア信号の瞬時電力を求め瞬時電力情報を出力し、ピーク検出部が瞬時電力と平均電力との比である瞬時電力対平均電力比を求め、瞬時電力対平均電力比と予め定められているピークファクタ閾値とを比較してピークを検出しピーク検出情報を出力し、リミッタ部がピーク検出情報からピークが検出されると、各キャリアのベースバンド信号の振幅を抑圧して各信号を出力するピークリミッタとしているので、各ベースバンド信号を高周波帯で合成した場合に近似的に想定されるマルチキャリア信号のピーク発生を捉え瞬時電力対平均電力比を小さくするように効果的に、且つ効率よく各ベースバンド信号の振幅のピークを抑圧する。
【００１９】
【発明が解決しようとする課題】
しかしながら、ＣＤＭＡ方式の送信電力制御のように動作点がダイナミックに変動するシステムにおいて、動作点が低い場合にはピークファクタが大きい場合でも、増幅器が飽和領域での動作を行うことが出来ないという問題がある。
ここで、上記問題点について図７を用いて説明する。図７は、飽和入力電力以下の瞬時ピークファクタの予め定めたピークファクタ閾値を超えた場合の一例を示す図である。▲１▼は最大電力が飽和入力電力以上でピークファクタ閾値を越える入力がある場合を示したもので、▲２▼は最大電力が飽和入力電力以下でピークファクタ閾値を越える入力がある場合を示したものである。▲１▼の場合、特願２００１−２２９７３８号では、ピークの抑圧を行うことによって飽和入力電力以下にし、効率よく各ベースバンド信号の振幅のピークを抑圧することができる。しかし、▲２▼の場合でも、ピークの抑圧を行ってしまうので、ピークの抑制を行う前と後の誤差が大きくなってしまう。故に、特願２００１−２２９７３８号では動作点が低い場合にもピークファクタ閾値を基準に振幅抑圧を行ってしまうため、ピークの抑制を行う前と後の誤差が大きくなってしまうという問題がある。
【００２０】
本発明は上記実情に鑑みて為されたもので、増幅器入力信号における所望のピークを精度良く実現するように効率のよいピーク抑制を行い、増幅システムの電力効率を向上できるピークリミッタ及びマルチキャリア増幅装置を提供することを目的とする。
【００２１】
【課題を解決するための手段】
上記従来例の問題点を解決するための本発明は、マルチキャリア信号を増幅するシステムにおいて用いられるピークリミッタであって、
各キャリアのベースバンド信号を入力し、各ベースバンド信号を高周波帯で合成した場合に近似的に想定されるマルチキャリア信号の瞬時電力を求め瞬時電力情報を出力する瞬時電力検出部と、
瞬時電力情報を入力し、瞬時電力と予め定められているピーク閾値とを比較してピークを検出しピーク検出情報を出力するピーク検出部と、
当該各キャリアのベースバンド信号とピーク検出情報を入力し、ピーク検出情報からピークが検出されると、各キャリアのベースバンド信号の振幅を抑圧した各信号を出力するリミッタ部とを有するものなので、
各ベースバンド信号を高周波帯で合成した場合に近似的に想定されるマルチキャリア信号の電力に基づいて各ベースバンド信号の振幅を制限することにより、増幅対象のマルチキャリア信号のピーク発生を捉えて効率よく各ベースバンド信号の振幅を抑圧できる。
【００２２】
上記従来例の問題点を解決するための本発明は、マルチキャリア信号を増幅するマルチキャリア増幅装置において、
各キャリアのベースバンド信号を入力し、各ベースバンド信号を高周波帯で合成した場合に近似的に想定されるマルチキャリア信号の電力を求め、当該電力を元にして、各ベースバンド信号の振幅を抑圧した各信号を出力するピークリミッタと、
ピークリミッタの出力信号であるピークを抑圧した各キャリアのベースバンド信号に帯域制限を行う帯域制限フィルタと、
帯域制限された信号を高周波帯にアップコンバートするアップコンバータと、
高周波帯にアップコンバートされた各キャリアの信号を結合しマルチキャリア信号を出力する結合器と、
マルチキャリア信号を増幅する増幅器とを有するものなので、
各ベースバンド信号を帯域制限の後、高周波帯に変換してから合成した場合に近似的に想定されるマルチキャリア信号の電力に基づいて各ベースバンド信号の振幅を制限することにより、増幅器に入力されるマルチキャリア信号のピーク発生を捉えて、効率よく各ベースバンド信号の振幅を抑圧して、その結果増幅器入力信号におけるピークの抑制を精度良く実現できる。
【００２３】
【発明の実施の形態】
本発明の実施の形態について図面を参照しながら説明する。
尚、以下で説明する機能実現手段は、当該機能を実現できる手段であれば、どのような回路又は装置であっても構わず、また機能の一部又は全部をソフトウェアで実現することも可能である。更に、機能実現手段を複数の回路によって実現してもよく、複数の機能実現手段を単一の回路で実現してもよい。
【００２４】
上位概念的に説明すれば、本発明に係るピークリミッタは、各キャリアのベースバンド信号を入力し、各ベースバンド信号を高周波帯で合成した場合に近似的に想定されるマルチキャリア信号の電力を求め、当該電力を元にして、各ベースバンド信号の振幅を抑圧した各信号を出力するものなので、増幅対象のマルチキャリア信号のピーク発生を捉えて、効率よく各ベースバンド信号の振幅を抑圧でき、増幅システムの電力効率を向上できるものである。
【００２５】
機能実現手段で説明すれば、本発明に係るピークリミッタは、各キャリアのベースバンド信号を入力し、各ベースバンド信号を高周波帯で合成した場合に近似的に想定されるマルチキャリア信号の瞬時電力を求め瞬時電力情報を出力する瞬時電力検出部と、瞬時電力情報を入力し、瞬時電力と予め定められているピーク閾値とを比較してピークを検出しピーク検出情報を出力するピーク検出部と、当該各キャリアのベースバンド信号とピーク検出情報を入力し、ピーク検出情報からピークが検出されると、各キャリアのベースバンド信号の振幅を抑圧した各信号を出力するリミッタ部とを有するものなので、増幅対象のマルチキャリア信号のピーク発生を捉えて、効率よく各ベースバンド信号の振幅のピークを抑圧でき、増幅システムの電力効率を向上できるものである。
【００２６】
まず、本発明の本発明の実施の形態に係るマルチキャリア増幅装置について、図１を使って説明する。図１は、本発明の実施の形態に係るマルチキャリア増幅装置の構成ブロック図である。尚、図９と同様の構成をとる部分については同一の符号を付して説明する。
本実施の形態に係るマルチキャリア増幅装置は、図１に示すように、従来のマルチキャリア増幅装置と同様の構成として、各キャリア毎に独立した系列として帯域制限を施す帯域制限フィルタ２と、ＲＦ周波数にアップコンバート（高周波変調）するアップコンバータ３と、各キャリア系列からの出力を結合してマルチキャリア信号を出力する結合器４と、マルチキャリア信号を増幅する増幅器５とから構成され、更に従来各キャリア系列毎に設けられていたピークリミッタ１′の代わりに、各キャリア系列共通のピークリミッタ１が設けられている。
【００２７】
ここで、帯域制限フィルタ２とアップコンバータ３と結合器４と増幅器５は、従来と全く同様であるので、詳細な説明は省略する。
本発明の特徴部分であるピークリミッタ１は、複数（図１では、２つ）のキャリア系列のベースバンド信号（入力信号）を入力し、各入力信号がアップコンバータ３で高周波変調され、結合器４で結合（合成）されたマルチキャリア信号を想定して、近似的に想定されたマルチキャリア信号の瞬時電力を求め、求めた瞬時電力が増幅器５の入力信号に対して所望するピーク電力を超える場合に、各入力信号の振幅を抑制するものである。
【００２８】
ここで、異なる周波数の信号（キャリア信号）を合成する状況について、図２を使って説明する。図２は、複数のキャリア信号及び合成後のマルチキャリア信号の複素空間表現を示す説明図である。
一般的にマルチキャリア信号送信においては、複数の入力信号が各々ある周波数間隔（キャリア周波数差）を持つ搬送波（キャリア）で変調されて、図２（ａ）（ｂ）（ｃ）に示すように各キャリア信号が、時間の経過と共に位相を変化させながら異なる周期で複素空間を回転している。
そして、各々のキャリア信号が各周波数で回転する過程で、各キャリア信号を合成したマルチキャリア信号は、各キャリア信号の位相が異なっている場合には、合成によって、ＩＱ空間でうち消しあって電力値はそれほど大きな値を示すことはないが、複数のキャリア信号が同相に近づくに従い電力値は増大し、位相が一致した場合には、図２（ｄ）に示すように、各キャリア信号の電力が加算されて瞬間的に瞬時電力が多大な値のピークを持つ可能性がある。尚、図２（ｄ）では、分かり易くするために各信号の矢印をずらして表記している。
つまり、本発明では、複数キャリア信号の位相が異なる時点では、個々のキャリア信号の電力が大きくてもリミットはかけず、上記説明した複数キャリア信号の位相が一致する時点のマルチキャリア信号の電力を捉えてリミットをかけるタイミングを検出するのが目的である。
【００２９】
ここで、本発明のピークリミッタ１の内部構成について、図３を使って説明する。図３は、本発明のピークリミッタの内部構成ブロック図である。尚、図８と同様の構成をとる部分については同一の符号を付して説明する。
本発明のピークリミッタ１は、図３に示すように、瞬時電力検出部１２と、ピーク検出部１３と、リミッタ部１４とから構成されている。尚、主たる構成要素としては図８で示した従来のピークリミッタと同様であるが、各要素の働きが従来とは異なっている。
【００３０】
本発明のピークリミッタ１の各部について説明する。
瞬時電力検出部１２は、複数のキャリア系列（図３では、２キャリア系列）の入力信号ＩＱを入力し、高周波（ＲＦ）帯で各キャリア信号を合成した場合に近似的に想定されるマルチキャリア信号の瞬時電力を検出し、瞬時電力情報を出力するものである。具体的に高周波（ＲＦ）帯で各キャリア信号を合成したマルチキャリア信号を近似的に想定する方法については、後述する。
【００３１】
ピーク検出部１３は、近似的に想定された合成後のマルチキャリア信号におけるピークの有無を検出するものである。具体的には、瞬時電力検出部１２から入力される想定された合成後のマルチキャリア信号における瞬時電力情報が予め定められているピーク閾値を超えるかどうか、すなわち、リミットを施すべきピークの有無を検出し、ピーク検出情報を出力するようになっている。ここで、予め定められているピーク閾値とは、後続して設置する増幅器５における特性（図５（ａ）（ｂ））で飽和出力レベルに対する電力値を考慮したものである。
【００３２】
リミッタ部１４は、複数のキャリア系列（図３では、２キャリア系列）の入力信号ＩＱを入力し、各入力信号ＩＱの振幅のピークを制限するもので、具体的には、ピーク検出部１３から入力されるピーク検出情報に従って、近似的に想定された合成後のマルチキャリア信号にリミットを施すべきピークが検出された場合に、瞬時電力を予め定められているピーク電力閾値以下になるように各キャリア系列の入力信号の振幅を制限する。
【００３３】
本発明のピークリミッタ１の動作を説明すると、複数のキャリア系列の入力信号ＩＱが、瞬時電力検出部１２及びリミッタ部１４に入力され、瞬時電力検出部１２では、ＲＦ帯で各キャリア信号を合成した場合に近似的に想定されるマルチキャリア信号の瞬時電力が検出されて瞬時電力情報が出力される。
そして、ピーク検出部１３で、近似的に想定されたマルチキャリア信号の瞬時電力情報から、近似的に想定されたマルチキャリア信号におけるリミットを施すべきピークの有無が検出されてピーク検出情報が出力され、リミッタ部１４でピーク検出情報に従って、リミットを施すべきピークが検出された場合に、瞬時電力を予め定められているピーク電力閾値以下になるように各キャリア系列の入力信号の振幅を制限する。
【００３４】
次に、瞬時電力検出部１２における、高周波（ＲＦ）帯で各キャリア信号を合成したマルチキャリア信号を近似的に想定する方法について説明する。
ＲＦ帯で合成したマルチキャリア信号を近似的に想定する第１の方法（第１の想定方法）は、入力される各入力信号にキャリア周波数差（Δｆ）のオフセットを与えてから合成し、一定のサンプリング間隔で合成信号の電力を検出する方法である。
【００３５】
これは、瞬時電力検出部１２への入力信号はベースバンド信号ＩＱであるので、ＲＦ帯における合成を想定するためには、本来ならば、図１の各アップコンバータ３で高周波変調されるＲＦ周波数に変換してみて、ＲＦ周波数の信号合成、電力測定を行わなければならないが、ＲＦ周波数での信号処理は非常に速いサンプリングが必要になるので高価な信号処理デバイスが必要になってしまう。
しかし、各キャリア周波数が、互いにキャリア周波数差（Δｆ）を持つのであれば、各入力信号にキャリア周波数差（Δｆ）分のみのオフセットを与えて合成すれば、一定のサンプリング間隔（例えば、最も周波数の小さいキャリア信号の一周期）のタイミングにおいては、その時点の複数キャリアの状態を捉えることができ、マルチキャリア信号を近似的に想定して瞬時電力を検出するには十分である。
【００３６】
ここで、従来の瞬時電力検出部１２′と、本発明の瞬時電力検出部１２との違いを数式を用いて説明する。
まず、各入力信号ＩＱをベクトル複素表現で［数１］のように表す。
【００３７】
【数１】
0003714917.tif 000002
【００３８】
すると、図９に示した従来のマルチキャリア増幅装置の各ピークリミッタ１′における従来の瞬時電力検出部１２′で求められる瞬時電力は［数２］のように表すことができる。
【００３９】
【数２】
0003714917.tif 000003
【００４０】
それに対して、図１、図２に示した本発明のマルチキャリア増幅装置のピークリミッタ１における瞬時電力検出部１２で求められる瞬時電力は、上記説明した第１の想定方法で求める場合には、［数３］のように表すことができる。
【００４１】
【数３】
0003714917.tif 000004
【００４２】
尚、［数３］においてΔｆは、キャリア周波数の差である。
すなわち、各入力信号は、Δｆだけ差のある各ＲＦ周波数にアップコンバートされるとして、各キャリア系列の入力信号にキャリア周波数差（Δｆ）分のみのオフセットを与えて合成し、異なるＲＦ周波数の信号が合成された信号を疑似的に作り出す。
そこで、瞬時電力は各キャリア系列の入力信号にキャリア周波数差（Δｆ）分のみのオフセットを与えて合成すると、図２（ｄ）に示したように、複数のキャリア信号の位相が一致した場合に、瞬間的に瞬時電力がピークを持つはずであるので、このタイミングを逃さないようにサンプリングを行って瞬時電力を検出すれば、ほぼＲＦ帯で合成されたマルチキャリア信号におけるピークリミットを施すべきピークを検出するために重要な瞬時電力値を取得することができる。
【００４３】
次に、上記説明した第１の想定方法を実現する瞬時電力検出部１２の構成例について、図４を用いて説明する。図４は、本発明の瞬時電力検出部１２の構成例を示すブロック図である。
本発明の第１の想定方法を実現する瞬時電力検出部１２は、図４に示すように、各入力信号にキャリア周波数差（Δｆ）のオフセットを与えるための複素乗算部３１，３２，３３，…と、各オフセットを与えられた信号を合成する加算器３４と、加算信号の瞬時電力を求める電力計算部３５とから構成されている。
【００４４】
図４に示した瞬時電力検出部１２の動作は、入力される複数（図４では４つ）の入力信号に対して、入力信号−１はそのまま、入力信号−２は複素乗算部３１でΔｆだけ回転されてオフセットがかけられ、入力信号−３は複素乗算部３２で２Δｆだけ回転されてオフセットがかけられ、入力信号−４は複素乗算部３３で３Δｆだけ回転されてオフセットがかけられ、全ての信号が加算器３４で加算（合成）され、電力計算部３５で瞬時電力が求められるようになっている。
【００４５】
次に、瞬時電力検出部１２における、ＲＦ帯で合成後のマルチキャリア信号を近似的に想定する別の方法について説明する。
ＲＦ帯で合成後のマルチキャリア信号を近似的に想定する第２の方法（第２の想定方法）は、入力される各入力信号をベクトルとして捉え、ベクトル演算により信号を合成して平均電力を求め、また、合成信号（ベクトル）の瞬時電力が最大になるタイミングの電力を演算により取得する方法である。
【００４６】
まず、第２の想定方法における瞬時電力の求め方について説明する。
図１のマルチキャリア増幅装置において、各キャリア系列の入力ベースバンド信号はピークリミッタ１から出力された後、個別にアップコンバータ３でＲＦ周波数帯にアップコンバートされた後に結合器４で合成されマルチキャリア信号になる。そのため、マルチキャリア信号の瞬時電力を測定する場合は、本来なら各ＲＦ周波数で回転している信号の合成電力を測定する必要がある。しかし、ＲＦ信号で合成電力を測定する場合は非常に速いサンプリングが必要になるので高価な信号処理デバイスが必要になってしまう。
そこで、本発明では、各キャリアのキャリア信号が同相になるタイミングで、各キャリアのベースバンド信号の電力の総和を求めて、ＲＦ帯で合成後の近似的に想定したマルチキャリア信号の瞬時電力とするようになっている。
【００４７】
これは、図２に示したように、各々のキャリア信号が各ＲＦ周波数で回転する過程で、各キャリア信号を合成したマルチキャリア信号は、複数のキャリア信号が同相に近づくに従い電力値は増大し、位相が一致した場合には、図２（ｄ）に示すように、各キャリア信号の電力が加算されて瞬間的に瞬時電力が多大な値のピークを持つ可能性があり、この時点のマルチキャリア信号の瞬時電力を捉えてリミットをかけるタイミングを検出すればよいからである。このとき、その合成ベクトルの電力は、各キャリア系列の入力信号の個々の電力の和に等しいことになる。
例えばＷ−ＣＤＭＡ方式の場合、入力信号が３．８４［ＭＨｚ］で、キャリア間隔が５［ＭＨｚ］なので、必ず複数キャリアのベクトルが同一方向となる瞬間がある。
【００４８】
ここで、第２の想定方法における瞬時電力の求め方の概念について、数式を用いて説明する。
第１の想定方法で説明したように、各キャリア周波数が、互いにキャリア周波数差（Δｆ）を持つのであれば、各入力信号にキャリア周波数差（Δｆ）分のみのオフセットを与えて合成することで、近似的な合成を行うことができ、瞬時電力は［数３］で表すことができる。
［数３］の瞬時電力において、ｅの項が同一ベクトルとなり、１＋ｊ・０＝１となる瞬間だけをサンプリングすると、［数４］の瞬時電力のようになる。これは、各入力ベースバンド信号について、ベクトル合成演算した合成ベクトルの電力を求めた数式となる。
これはサンプリングを粗くしたことにはなるが、長時間測定すると第１の想定方法の瞬時電力と等しくなるので、第２の想定方法を用いると、ハード構成が簡単になる。
【００４９】
【数４】
0003714917.tif 000005
【００５０】
次に、本発明のマルチキャリア増幅装置の動作について図１を使って説明する。
本発明のマルチキャリア増幅装置では、各キャリア系列の入力ベースバンド信号ＩＱ（図１では２つ）が全てピークリミッタ１に入力され、ピークリミッタ１で各入力信号が高周波（ＲＦ）帯で合成した場合に近似的に想定されるマルチキャリア信号の瞬時電力が算出され、予め定められたピーク閾値に基づいて各入力ベースバンド信号の振幅のピークが制限されてピーク制限信号ａ１，ａ２が出力される。
この時、ピーク制限信号ａ１，ａ２は、図９に示した従来のマルチキャリア増幅装置の各ピークリミッタ１′から出力されるピーク制限信号Ａ１，Ａ２とは異なり、ＲＦ帯で合成した場合に近似的に想定されるマルチキャリア信号において、瞬時電力がピーク閾値を超える場合だけピークが制限されている信号である。
【００５１】
そして、ピーク制限信号ａ１，ａ２は、帯域制限フィルタ２で帯域制限されて信号ｂ１，ｂ２となり、更にアップコンバータ３で各ＲＦ周波数にアップコンバートされて高周波変調信号（キャリア信号）ｃ１，ｃ２となって出力される。
そして、各キャリア系列のアップコンバータ３の出力信号が結合器４で結合されてマルチキャリア信号ｄが出力され、増幅器５で増幅されて出力されるようになっている。
【００５２】
ここで、結合器４から出力されるマルチキャリア信号ｄは、図９に示した従来のマルチキャリア増幅装置の結合器４から出力されるマルチキャリア信号Ｄとは異なり、ピークリミッタ１における処理によってマルチキャリア信号におけるピーク電力値が制限されているだけで、その他の部分にはピークリミッタ１における処理の影響が与えられていない信号である。
【００５３】
上記マルチキャリア増幅装置における動作の結果、本発明では、各キャリア系列の入力信号に対してピークリミッタ１によって、高周波帯で合成した場合に近似的に想定されるマルチキャリア信号の瞬時電力を元にしてピーク値を制限し、各入力信号のピーク値を制限する処理を施した信号ａ１，ａ２に対して、帯域制限、アップコンバートの後に結合し、結合後のマルチキャリア信号を増幅器５で増幅することになり、結果的に増幅器５に入力されるマルチキャリア信号のピーク値を抑制することができる。
【００５４】
本発明のピークリミッタによれば、各キャリア系列のベースバンド信号を入力し、各ベースバンド信号を高周波帯で合成した場合に近似的に想定されるマルチキャリア信号の瞬時電力を瞬時電力検出部１２で求め、ピーク検出部１３で瞬時電力と予め設定されているピーク閾値との比較によってピークの有無を検出し、ピークがある場合に、リミッタ部１４で各ベースバンド信号の振幅を抑圧した各信号を出力するものであるので、増幅対象のマルチキャリア信号に関するピーク発生を捉えて、効率よく入力信号に対してピークリミットが為され、その結果増幅器入力信号におけるピークの抑制を精度良く実現できる効果がある。
【００５５】
そして、本発明の瞬時電力検出部１２において、各ベースバンド信号を高周波帯で合成した場合のマルチキャリア信号を近似的に想定する方法として、本来なら各アップコンバータ３で高周波変調されるＲＦ周波数に変換して合成するところであり、ＲＦ信号の電力測定には非常に高速のサンプリングが要求されるところであるが、第１の想定方法を用いると、入力される各入力信号に複素乗算部を用いてキャリア周波数差（Δｆ）のオフセットを与えてから合成し、合成信号の瞬時電力を検出するので、ベースバンド信号の周波数に対するサンプリングで瞬時電力を検出することができ、構成をさほど増大することなく、高周波帯で合成した場合のマルチキャリア信号に近似するマルチキャリア信号の瞬時電力を検出できる効果がある。
【００５６】
また、本発明の瞬時電力検出部１２において、第２の想定方法を用いると、複数の入力信号のキャリア位相が一致するタイミング、すなわち合成信号（ベクトル）の瞬時電力が最大になるタイミングの電力を演算により取得するので、瞬時電力を効果的に捉えることができ、且つ演算処理のみで瞬時電力を求めることにより構成を簡略化でき、ハード規模の縮小し、コストを低減できる効果がある。
【００５７】
本発明のマルチキャリア増幅装置によれば、複数の入力ベースバンド信号が全てピークリミッタ１に入力され、ピークリミッタ１で各入力信号が高周波（ＲＦ）帯で合成した場合に近似的に想定されるマルチキャリア信号の瞬時電力が算出され、予め定められたピーク閾値に基づいて各入力ベースバンド信号のピーク値が制限されて出力され、帯域制限フィルタ２で帯域制限され、更にアップコンバータ３で各ＲＦ周波数にアップコンバートされ、結合器４で結合されてマルチキャリア信号が出力され、増幅器５で増幅されて出力されるので、間接的にではあるが、結果的に増幅器５に入力されるマルチキャリア信号のピーク発生を捉えて、ピークが抑制されて、増幅システムの電力効率を向上させることができる効果がある。
また、従来の技術で問題になっていた、最大電力が飽和入力電力以下でピークファクタ閾値を越える入力がある場合にも、ピークの抑圧を行って、ピークの抑制を行う前と後の誤差が大ききなることを回避する事ができ、更に、平均電力検出部を不用とする分、回路規模が小さくなり、演算量を削減する事ができるので、システム全体としての信頼性を向上できる効果がある。
【００５８】
【発明の効果】
本発明によれば、マルチキャリア信号を増幅するシステムにおいて用いられるピークリミッタであって、瞬時電力検出部が、近似的に想定されるマルチキャリア信号の瞬時電力を求め瞬時電力情報を出力し、ピーク検出部が瞬時電力と予め定められているピーク閾値とを比較してピークを検出しピーク検出情報を出力し、リミッタ部がピーク検出情報からピークが検出されると、各キャリアのベースバンド信号の振幅を抑圧して各信号を出力するピークリミッタとしているので、各ベースバンド信号を高周波帯で合成した場合に近似的に想定されるマルチキャリア信号のピーク発生を捉え、効率よく各ベースバンド信号の振幅のピークを抑圧できる効果がある。
【００５９】
本発明によれば、マルチキャリア信号を増幅するマルチキャリア増幅装置において、ピークリミッタが、各キャリアのベースバンド信号を入力し、各ベースバンド信号を高周波帯で合成した場合に近似的に想定されるマルチキャリア信号の瞬時電力を求め、当該瞬時電力を元にして、各ベースバンド信号の振幅を抑圧した各信号を出力し、帯域制限フィルタがピークリミッタからのピークを抑圧した各キャリアのベースバンド信号に帯域制限を行い、アップコンバータが帯域制限された各信号を高周波帯にアップコンバートし、結合器が各キャリアの信号を結合してマルチキャリア信号を出力し、増幅器がマルチキャリア信号を増幅するマルチキャリア増幅装置としているので、各ベースバンド信号を帯域制限の後、高周波帯に変換してから合成した場合の近似的に想定されるマルチキャリア信号のピーク発生を捉え、効率よく各ベースバンド信号の振幅のピークを抑圧して、増幅システムの電力効率を向上できる効果がある。
【図面の簡単な説明】
【図１】本発明の実施の形態に係るマルチキャリア増幅装置の構成ブロック図である。
【図２】複数のキャリア信号及び合成後のマルチキャリア信号の複素空間表現を示す説明図である。
【図３】本発明のピークリミッタの内部構成ブロック図である。
【図４】本発明の瞬時電力検出部の構成例を示すブロック図である。
【図５】増幅器の特性と、各隣接チャネル漏洩電力削減方法の動作特性を説明する説明図である。
【図６】一般的な増幅器のピークファクタの説明図である。
【図７】飽和入力電力以下のピークファクタの予め定めた閾値を超えた場合の一例を示す図である。
【図８】従来のピークリミッタの構成例を示すブロック図である。
【図９】従来のマルチキャリア増幅装置の概略構成ブロック図である。
【符号の説明】
１，１′…ピークリミッタ、  ２…帯域制限フィルタ、  ３…アップコンバータ、  ４…結合器、  ５…増幅器、  １１′…平均電力検出部、  １２，１２′…瞬時電力検出部、  １３…ピーク検出部、  １４、１４′…リミッタ部、  ３１，３２，３３…複素演算部、  ３４…加算器、  ３５…電力計算部
【図１】
0003714917.tif 000006
【図２】
0003714917.tif 000007
【図３】
0003714917.tif 000008
【図４】
0003714917.tif 000009
【図５】
0003714917.tif 000010
【図６】
0003714917.tif 000011
【図７】
0003714917.tif 000012
【図８】
0003714917.tif 000013
【図９】
0003714917.tif 000014